(57)【要約】【課題】  異なるサイズの平型ケーブルに使用可能な平型ケーブル用固定具を提供する。【解決手段】  クロージャや接続箱、それらにセットするトレー等の機器の配線口から外に引き出され或いは配線口から機器内に引き込まれるテンションメンバー（抗張力線）入りの平型ケーブルを、当該機器に取付けるための平型ケーブル用固定具であり、当該平型ケーブル用固定具は前記機器のセット溝内にセット可能な板状であり、その幅方向一側面に前記平型ケーブルを嵌入可能な嵌入溝が開口して設けられ、前記嵌入溝の溝幅を平型ケーブルの横幅寸法よりも広く縦幅寸法よりも狭くして、平型ケーブルの縦方向両外面を前記嵌入溝の両外側縁に向けて圧入すると、両外側縁が当該平型ケーブルの外被の縦方向向両外面に食い込んで当該平型ケーブルを固定できるようにしたものである。【選択図】図１
2014116386.tif 000002
【特許請求の範囲】
【請求項１】
クロージャや接続箱、それらにセットするトレー等の機器の配線口から外に引き出され或いは配線口から機器内に引き込まれるテンションメンバー入りの平型ケーブルを、当該機器に取付けるための平型ケーブル用固定具であり、当該平型ケーブル用固定具は前記機器のセット溝内にセット可能な板状であり、その幅方向一側面に前記平型ケーブルを嵌入可能な嵌入溝が開口して設けられ、前記嵌入溝の溝幅は平型ケーブルのテンションメンバーの配列方向に交差する方向（横方向）の寸法（横幅寸法）よりも広く、テンションメンバーの配列方向（縦方向）の寸法（縦幅寸法）よりも狭く、平型ケーブルの縦方向両外面が前記嵌入溝の両外側縁に向けて圧入されることにより、当該両外側縁が当該平型ケーブルの外被の縦幅方向両外面に食い込んで当該平型ケーブルを固定できることを特徴とする平型ケーブル用固定具。
【請求項２】
請求項１記載の平型ケーブル用固定具において、溝幅の異なる嵌入溝が二以上形成され、それら二以上の嵌入溝は離れて形成され、且つ一側面に開口して又は支持片の横幅方向両側面に開口して設けられ、前記二以上の嵌入溝は溝幅が異なり、夫々の嵌入溝の溝幅は平型ケーブルの横幅寸法よりも広く縦幅寸法よりも狭く、縦幅寸法の異なる平型ケーブルをその配列方向に沿って嵌入できる広さにされており、二以上の嵌入溝のいずれかを選択して、その嵌入溝内に平型ケーブルを縦向きに嵌入できることを特徴とする平型ケーブル用固定具。
【請求項３】
クロージャや接続箱、それらにセットするトレー等の機器の配線口から外に引き出され或いは配線口から機器内に引き込まれるテンションメンバー入りの平型ケーブルを、当該機器に取付けるための平型ケーブル用固定具であり、前記機器のセット溝内にセット可能な「く」字状（ほぼ「く」字状、Ｌ字状、ほぼＬ字状を含む。）であり、夫々の面に嵌入溝が形成され、それら嵌入溝は溝幅が異なり、いずれの嵌入溝も平型ケーブルの横幅寸法よりも広く縦幅寸法よりも狭く、縦幅寸法の異なる平型ケーブルをその縦方向に嵌入できる広さであり、平型ケーブルの縦方向両外面が前記嵌入溝の両外側縁に向けて圧入されることにより、当該両外側縁が当該平型ケーブルの外被の縦方向両外面に食い込んで当該平型ケーブルを固定できることを特徴とする平型ケーブル用固定具。
【請求項４】
請求項３記載の平型ケーブル用固定具において、一方の面にのみ溝幅の異なる二以上の嵌入溝が離して開口されたことを特徴とする平型ケーブル用固定具。
【請求項５】
クロージャや接続箱、それらにセットするトレー等の機器の配線口から外に引き出され或いは配線口から機器内に引き込まれるテンションメンバー入りの平型ケーブルを、当該機器に取付けるための平型ケーブル用固定具であり、前記機器のセット溝内にセット可能な「コ」字状（ほぼ「コ」字状を含む。）であり、対向面の夫々に嵌入溝を備え、それら嵌入溝は平型ケーブルの横幅寸法よりも広く縦幅寸法よりも狭く、縦幅寸法の異なる平型ケーブルをその縦方向に嵌入できる広さであり、平型ケーブルの縦方向両外面が前記嵌入溝の両外側縁に向けて圧入されることにより、当該両外側縁が当該平型ケーブルの外被の縦方向両外面に食い込んで当該平型ケーブルを固定できることを特徴とする平型ケーブル用固定具。
【請求項６】
請求項５記載の平型ケーブル用固定具において、対向面の夫々に溝幅の異なる二以上の嵌入溝が設けられ、それら嵌入溝が離して開口されたことを特徴とする平型ケーブル用固定具。
【請求項７】
請求項１から請求項６のいずれか１項に記載の平型ケーブル用固定具において、平型ケーブルが平型光ケーブルであることを特徴とする平型ケーブル用固定具。
【発明の詳細な説明】
【技術分野】
【０００１】
本発明は平型ケーブル用固定具に関し、特に、クロージャや接続箱、或いはそれらにセットするファイバートレー等（以下これらをまとめて「機器」という。）の配線口から引き出されたり、引き込まれたりするテンションメンバー（抗張力線）入りの平型ケーブル（平型光ケーブルを含む。）を機器に取付ける平型ケーブル用固定具に関する。
【背景技術】
【０００２】
抗張力線入りの平型ケーブル（平型光ケーブル）の一例として、図８（ｂ）に示すようなものがある。この平型ケーブルは、光ファイバ心線Ａの両側に抗張力線Ｂが配置され、その外周が平型のシース（外被）Ｃ（通常、樹脂製）で被覆されている。光ファイバ心線Ａはテープ状或いは丸型のものがある。抗張力線Ｂの外形は、通常、光ファイバ心線Ａの厚さ（丸形心線の場合はその外径）よりも大きい。外被Ｃの外面で光ファイバ心線Ａの外側部分には溝Ｄが光ファイバ心線Ａの軸方向に沿って形成されている。
【０００３】
前記平型ケーブルＥを前記機器Ｆ（図８（ａ）、（ｂ））の開口部Ｇ内に引き込む場合は、平型ケーブルＥの端部の外被Ｃを溝Ｄに沿って引き裂いて光ファイバ心線Ａを所望長露出させ、引き裂いた外被Ｃを剥ぎ取って抗張力線Ｂを所望長露出させる。露出した抗張力線Ｂを機器Ｆの取付け箇所にネジ止めして固定していた。
【０００４】
前記方法では平型ケーブルＥの固定作業が面倒であった。従来、この面倒を改善するために、ケーブル引き留め部品（特許文献１）、ケーブル引き留め方法（特許文献２）が開発されている。
【０００５】
特許文献１のケーブル引き留め部品は、平型ケーブルを二枚の挟着片間に挟んで固定する方式であり、そのケーブル引き留め部品を機器にセットすることにより、平型ケーブルを機器に固定するものである。このケーブル引き留め部品を使用すると、旧来のネジ止め方式に比して固定作業は容易になるが、平型ケーブルを固定する力（挟着力）が弱く、平型ケーブルが外に引かれると、平型ケーブルがスリップするおそれがあった。
【０００６】
特許文献２のケーブル引き留め方法は、ケーブルの引き留めに固定具を使用する方法であり、この固定具の相対する二以上の固定片間の嵌入溝内に平型ケーブルを押し込んで、その固定片の角部（エッジ）を平型ケーブルの外被の横幅方向両外面に食い込ませることによって、平型ケーブルを固定具の嵌入溝内に固定し、この固定具を機器にセットすることにより、平型ケーブルを機器に固定する方法である。この固定具には同文献２の図１に示すように嵌入溝が一つ（一組）しか設けられていないもののほか、同文献２の図２に示すように二以上の嵌入溝を備えて、一つの固定具で二以上の平型ケーブルを固定できるものもある。
【先行技術文献】
【特許文献】
【０００７】
【特許文献１】特開平１０−３３２９５３号公報
【特許文献２】特開２００３−２１７３０号公報
【発明の概要】
【発明が解決しようとする課題】
【０００８】
前記特許文献２の図１の固定具は、嵌入溝が一つであるため、外被寸法の異なる二種類の平型ケーブルの固定に使用することができず、異なるサイズの平型ケーブルを固定するためには、異なる溝幅寸法の嵌入溝を備えた固定具を別途用意しなければならないという不便があった。
【０００９】
特許文献２の図２の固定具は、一つの固定具で複数本の平型ケーブルを固定できるというメリットはあるものの、すべての嵌入溝の溝幅寸法が同一であるため、外被寸法が同じ平型ケーブルしか固定できないという不便がある。さらに、特許文献２の図２の固定具では、平型ケーブルをセットしない（使用しない）嵌入溝が機器の開口部に開口しているため、そこから外部の埃が侵入するおそれがあり、機器内の電子部品部の接触不良や動作不良の一因となりかねない。
【００１０】
また、前記特許文献２の図２の固定具を用いて平型ケーブルを固定する場合、引き留め部において伝送損失が大きくなったり、光ファイバの破断が発生したりするおそれがある。さらに、特許文献２の図２の固定具は、引き留め具への平型ケーブル差し込み方向が、機器への引き留め具差し込み方向と同じであるため、そのままでは、平型ケーブルが差し込んだ方向に位置ずれしたり抜け易くなったりするおそれもある。
【００１１】
本発明の目的は、外被サイズが異なる二種以上の平型ケーブルの固定に使用可能であり、外部から塵芥が侵入しにくく、機器内の接触不良や動作不良が生じにくい平型ケーブル用固定具を提供することにある。
【課題を解決するための手段】
【００１２】
本発明の平型ケーブル用固定具は、クロージャや接続箱、それらにセットするトレー等の機器の配線口から外に引き出され或いは配線口から機器内に引き込まれるテンションメンバー（抗張力線）入りの平型ケーブルを、当該機器に取付けるための平型ケーブル用固定具であり、当該平型ケーブル用固定具は前記機器のセット溝内にセット可能な板状であり、その幅方向一側面に前記平型ケーブルを嵌入可能な嵌入溝が開口して設けられ、前記嵌入溝の溝幅を平型ケーブルのテンションメンバーの配列方向に交差する方向（横方向：以下、明細書、特許請求の範囲において同じ）の寸法（横幅寸法）よりも広く、テンションメンバーの配列方向（縦方向：以下、明細書、特許請求の範囲において同じ）の寸法（縦幅寸法）よりも狭くして、平型ケーブルの縦方向両外面を前記嵌入溝の両外側縁に向けて（縦向きにして）圧入すると、両外側縁が当該平型ケーブルの外被の縦方向両外面（両抗張力線の外側）に食い込んで当該平型ケーブルを固定できるようにしたものである。
【００１３】
前記平型ケーブル用固定具は、溝幅の異なる嵌入溝が二以上形成され、それら二以上の嵌入溝は上下方向に離れて形成され、且つ横幅方向一側面に開口して又は支持片の横幅方向両側面に開口して設けられ、前記二以上の嵌入溝は溝幅が異なり、夫々の嵌入溝の溝幅を平型ケーブルの横幅寸法よりも広く縦幅寸法よりも狭くして、縦幅寸法の異なる平型ケーブルを縦向きに嵌入できる広さにしてあり、二以上の嵌入溝のいずれかを選択して、その嵌入溝内に平型ケーブルを縦向きに嵌入できるようにすることができる。
【００１４】
本発明の平型ケーブル用固定具は、前記機器のセット溝内にセット可能な「く」字状（ほぼ「く」字状、Ｌ字状、ほぼＬ字状を含む：以下、明細書、特許請求の範囲において同じ）であり、夫々の面に嵌入溝が形成され、それら嵌入溝は溝幅が異なり、いずれの嵌入溝も平型ケーブルの横幅寸法よりも広く縦幅寸法よりも狭くして、縦幅寸法の異なる平型ケーブルを縦向きに嵌入できる広さであり、平型ケーブルの縦方向両外面を前記嵌入溝の高さ方向にして（縦向きにして）圧入すると、両外側縁が当該平型ケーブルの外被の縦方向両外面に食い込んで当該平型ケーブルを固定できるようにすることができる。
【００１５】
前記「く」字状の平型ケーブル用固定具は、一方の面にのみ溝幅の異なる二以上の嵌入溝を設け、それら嵌入溝は上下方向に離して開口して設けることもできる。
【００１６】
本発明の平型ケーブル用固定具は、前記機器のセット溝内にセット可能な「コ」字状（ほぼ「コ」字状を含む：以下、明細書、特許請求の範囲において同じ）であり、対向面の夫々に嵌入溝を備え、それら嵌入溝は平型ケーブルの横幅寸法よりも広く縦幅寸法よりも狭く、縦幅寸法の異なる平型ケーブルを縦向きに嵌入できる広さであり、平型ケーブルの縦方向両外面を前記嵌入溝の両外側縁に向けて圧入すると、両外側縁が当該平型ケーブルの外被の縦方向両外面に食い込んで当該平型ケーブルを固定できるようにしたものである。
【００１７】
前記「コ」字状の平型ケーブル用固定具は、対向面の夫々に溝幅の異なる二以上の嵌入溝を設け、それら嵌入溝は上下方向に離して開口して設けることもできる。
【００１８】
前記平型ケーブル用固定具において、平型ケーブルは平型光ケーブルとすることができる。
【発明の効果】
【００１９】
本発明の平型ケーブル用固定具は次のような効果がある。
（１）外側縁が平型ケーブルの外被の縦方向両外面に食い込むため、食い込みが深くなっても、両抗張力線の間に配置されている光ファイバ心線が損傷するおそれがない。
（２）嵌入溝が二以上あり、それら嵌入溝の溝幅寸法が異なるため、一つの平型平型ケーブル用固定具で、異なるサイズの平型ケーブルを固定することができ、平型ケーブルの寸法に合わせて二以上の他の固定具を別途用意する必要がなく、コストを低減することができる。
（３）「コ」字状の二個の平型ケーブル用固定具を対向させて平型ケーブルを挟着固定できるので、平型ケーブルの固定が安定し、機器の配線口への取付けも安定する。
（４）平型ケーブルがテンションメンバーよりも光ファイバ方向へ食い込まないようにすることができるため、引き留め部において伝送損失が大きくなったり、ケーブルが破断したりするのを防止することができる。
（５）機器への平型ケーブル用固定具差し込み方向と、平型ケーブル用固定具への平型ケーブルの差し込み方向が交差する方向であるため、平型ケーブルが平型ケーブル用固定具への差し込み方向と反対側へ位置ずれすることがない。
【図面の簡単な説明】
【００２０】
【図１】本発明の平型ケーブル用固定具を板状にした場合の一例を示すものであって、（ａ）は接続箱に差し込む前の斜視図、（ｂ）、（ｃ）は板状の平型ケーブル用固定具の異なる例を示す説明図。
【図２】本発明の平型ケーブル用固定具を「く」字状にした場合の一例を示すものであって、（ａ）は接続箱に差し込む前の斜視図、（ｂ）は接続箱に差し込んで固定した状態の斜視図。
【図３】（ａ）は図２（ａ）に示す平型ケーブル用固定具の嵌入溝と平型ケーブルとの関係を示す説明図、（ｂ）は図１（ａ）に示す平型ケーブル用固定具の嵌入溝と平型ケーブルと一方の嵌入溝の関係を示す説明図。
【図４】本発明の平型ケーブル用固定具を「く」字状にした場合の他例を示す斜視図。
【図５】（ａ）は本発明の平型ケーブル用固定具を「コ」字状にした場合の一例を示す斜視図、（ｂ）は（ａ）の平型ケーブル用固定具を対向させて平型ケーブルを挟着保持した状態の平面図。
【図６】図５（ａ）、（ｂ）に示す「コ」字状の平型ケーブル用固定具を取付ける機器のセット溝の一例を示す斜視図。
【図７】本発明の平型ケーブル用固定具を「コ」字状にした場合の他例を示す斜視図。
【図８】（ａ）は従来の平型ケーブル（平型光ケーブル）用固定具を機器に取付けた状態の斜視図、（ｂ）は（ａ）の平型ケーブル用固定具をセット溝にセットした状態の拡大図。
【発明を実施するための形態】
【００２１】
本発明の平型ケーブル用固定具（以下「固定具」という）１の実施形態について、図面を参照して説明する。本発明の固定具１は各種平型ケーブルの固定具として用いることができるが、ここでは、平型ケーブルＥが図３（ａ）、（ｂ）に示すような平型光ケーブルの場合を一例として説明する。
【００２２】
（図１（ａ）の固定具の実施形態）
図１（ａ）に示す固定具１は、クロージャや接続箱、それらにセットするトレー等の機器Ｆ（図８（ａ））の取付け部（開口部）Ｇから外に引き出され或いは開口部Ｇから機器Ｆ内に引き込まれるテンションメンバー（抗張力線）入りの平型ケーブル（以下「ケーブル」という）Ｅを、当該機器Ｆに取付けるためのものである。
【００２３】
この固定具１は前記機器Ｆのセット部Ｈ内にセット可能な板状であり、その幅方向一側面に開口する（側面開口の）嵌入溝３を備えたものである。嵌入溝３の溝幅ＶはケーブルＥの横幅寸法よりも広く縦幅寸法よりも狭くして、ケーブルＥの外被Ｃの縦方向両外面を嵌入溝３の両外側縁４に向けて（縦向きにして）圧入すると、両外側縁４がケーブルＥの外被Ｃの縦方向両外面に食い込んでケーブルＥを固定できるようにしてある。嵌入溝３の溝幅ＶはケーブルＥを縦向きにして側方から嵌入できる広さにしてある。
【００２４】
（図１（ｂ）の固定具の実施形態）
図１（ｂ）の固定具１は、図１（ａ）の固定具１と同様に使用されるものである。この固定具１の幅方向一側面には溝幅の異なる二つの嵌入溝３ａ、３ｂが形成されている。両嵌入溝３ａ、３ｂは上下方向に離れて平行に形成されている。二つの嵌入溝３ａ、３ｂは溝幅が異なり、夫々の嵌入溝３ａ、３ｂの溝幅Ｖ1、Ｖ2は、ケーブルＥの外被Ｃの横幅寸法よりも広く縦幅寸法よりも狭くして、縦幅寸法の異なるケーブルＥを縦向きに嵌入できる広さにしてあり、二つの嵌入溝３ａ、３ｂのいずれかを選択して、その嵌入溝３内にケーブルＥを縦向きに嵌入できるようにしてある。嵌入溝３は三つ以上とすることもできる。
【００２５】
（図１（ｃ）の固定具の実施形態）
図１（ｃ）の固定具１は図１（ａ）、（ｂ）の固定具１と同様に使用されるものである。この固定具１は、幅方向一方に嵌入溝３ａが、幅方向他方に嵌入溝３ａと溝幅の異なる嵌入溝３ｂが形成されている。夫々の嵌入溝３ａ、３ｂの溝幅Ｖ1、Ｖ2は、ケーブルＥの外被Ｃの横幅寸法よりも広く縦幅寸法よりも狭くして、縦幅寸法の異なるケーブルＥを縦向きに嵌入できる広さにしてあり、二以上の嵌入溝３ａ、３ｂのいずれかを選択して、その嵌入溝３内にケーブルＥを縦向きに嵌入できるようにしてある。この場合も、二つの嵌入溝３ａ、３ｂのいずれかを選択して、その嵌入溝３内にケーブルＥを縦向きに嵌入できるようにしてある。嵌入溝３は三つ以上とすることもできる。
【００２６】
（図１（ａ）〜（ｃ）の固定具の使用例）
図１（ａ）〜（ｃ）のいずれの固定具１を使用する場合も、ケーブルＥを嵌入溝３（図１（ｂ）、（ｃ）の場合は、選択した一方の嵌入溝３）内に縦向きに圧入して、嵌入溝３の両外側の外側縁４（外側縁４ａ、４ｂ）をケーブルＥの外被Ｃの縦方向両外面に食い込ませてケーブルＥを固定具１に固定する。この固定具１を、機器Ｆに形成されているセット溝Ｈ内に差し込んで、嵌入溝３に固定されたケーブルＥを機器Ｆの開口部Ｇにセットすることができる。必要であれば図１（ａ）に示すようにセット溝Ｈを二本平行に形成し、夫々のセット溝Ｈ内に二つの固定具１を差し込んで使用することもできる。このようにすれば、ケーブルＥが二つの固定具１に固定されるため、固定が確実になる。開口部ＧはケーブルＥを縦向きにして挿入可能な幅と深さにしてある。
【００２７】
（図２、図３の固定具の実施形態）
図２に示す固定具１は、金属板を直角（ほぼ「く」字状）に曲げて成型され、機器Ｆに設けられた「く」字状のセット溝Ｈ内に差し込むことによって、ケーブルＥを固定した固定具１を、機器Ｆに取付けられるようにしてある。
【００２８】
固定具１のそれぞれの面２ａ、２ｂにはケーブルＥ（図２（ｂ））を嵌入可能な嵌入溝３ａ、３ｂが設けられている。嵌入溝３ａ、３ｂの溝幅Ｖ1、Ｖ2は、ケーブルＥを縦向きにして嵌入できる広さにしてある。両嵌入溝３ａ、３ｂの溝幅Ｖ1、Ｖ2は、一方の面２ａに設けられた嵌入溝３ａの溝幅Ｖ1を他方の面２ｂに設けられた嵌入溝３ｂの溝幅Ｖ2よりも広くし、一つの固定具１で溝幅寸法が異なる二種類のケーブルＥを嵌入固定できるようにしてある。面２ａ、２ｂは平面であっても湾曲面等であってもよい。
【００２９】
固定具１の嵌入溝３ａ、３ｂの溝幅寸法とケーブルＥの縦方向の寸法の関係を、図３（ａ）、（ｂ）に示す。図３（ａ）に示すケーブルＥは縦幅寸法Ｗ1が３．１ｍｍのもの、同（ｂ）に示すケーブルＥは縦幅寸法Ｗ2が２．０ｍｍのものであり、いずれも汎用品である。一方の面２ａに設けられた嵌入溝３ａの溝幅Ｖ1はケーブルＥの縦幅寸法Ｗ1よりも狭く、他方の面２ｂに設けられた嵌入溝３ｂの溝幅Ｖ2はケーブルＥの縦幅寸法Ｗ2よりも狭くしてあり、ケーブルＥを嵌入溝３に嵌入した際に、ケーブルＥの外被Ｃの縦方向の両外側面（図３（ａ）、（ｂ）では外被Ｃの上下両面）に面２ａ（又は面２ｂ）の外側縁４ａ（又は外側縁４ｂ）が食い込んで、ケーブルＥが嵌入溝３ａ、３ｂ内でスリップせず、嵌入溝３ａ、３ｂから不用意に抜けないようにしてある。
【００３０】
前記嵌入溝３ａ、３ｂの溝幅寸法は一例であり、嵌入溝３ａ、３ｂに嵌入したケーブルＥの外被Ｃにいずれかの面２ａ、２ｂの外側縁４ａ、４ｂが食い込んで、ケーブルＥを固定できる限り、これ以外の寸法であってもよい。
【００３１】
嵌入溝３の入り口側の角部６は外向き広がりのテーパーに形成され、ケーブルＥを嵌入溝３内に嵌入し易くしてある。嵌入溝３の外側縁４にはケーブルＥの外被Ｃに食い込み易くするための係止歯（図示しない）を設けることもできる。係止歯の形状、向き、突出寸法、本数等は適宜設計することができる。
【００３２】
（図２（ａ）の固定具の使用例）
図２（ａ）の固定具１を使用してケーブルＥを機器Ｆに固定するには、ケーブルＥを面２ａ、２ｂのうちいずれか一方の面（例えば、面２ａ）の嵌入溝（例えば、嵌入溝３ａ）に嵌入（圧入）してケーブルＥの外被Ｃに面２ａの外側縁４ａを食い込ませ、ケーブルＥが固定具１から不用意に抜けないようにする。ケーブルＥを固定してから固定具１を図２（ａ）の下方（矢印方向）に下げて、図２（ｂ）のように機器Ｆの「く」字状のセット溝Ｈに差し込んで、固定具１及びそれに固定されているケーブルＥを機器Ｆ内に固定する。これにより、ケーブルＥに図２（ｂ）の外側への外力が加わっても、ケーブルＥは同方向にスライドしたり、抜けたりすることがない。
【００３３】
（図４の固定具の実施形態）
図４に示す固定具１は、基本的構成において図２（ａ）に示すものと同じであり、異なるのは、「く」字状に形成された固定具１の面２ａ、２ｂのうち一方の面（図４では、面２ａ）に二つの嵌入溝３ａ、３ｂを上下に離して平行に設けたことである。両嵌入溝３ａ、３ｂは異なる溝幅Ｖ1、Ｖ2としてある。
【００３４】
（図４の固定具の使用例）
図４の固定具１を使用してケーブルＥを機器Ｆに固定するには、ケーブルＥを一方の嵌入溝（例えば、嵌入溝３ａ）に嵌入（圧入）してケーブルＥの外被Ｃに面２ａの外側縁４ａを食い込ませて、ケーブルＥを固定具１から抜けないように固定してから、固定具１を図２（ｂ）のように機器Ｆの「く」字状のセット溝Ｈに差し込んで、固定具１及びそれに固定されているケーブルＥを機器Ｆ内に固定する。これにより、ケーブルＥに外向きの外力が加わっても、ケーブルＥは同方向にスライドしたり、抜けたりすることがない。
【００３５】
（図５（ａ）の固定具の実施形態）
図５（ａ）に示す固定具１は、基本的構成において前記各実施形態に示すものと同じであり、異なるのは、その形状を三面２ａ、２ｂ、２ｃを備えた「コ」字状にし、それら三面２ａ、２ｂ、２ｃのうち対向する二面２ａ、２ｂに嵌入溝３を設けたことである。嵌入溝３の溝幅Ｖは、前記実施形態と同じように、ケーブルＥを縦向きに嵌入できる寸法にしてある。
【００３６】
（図５（ａ）の固定具の使用例）
図５（ａ）の固定具１は、５（ｂ）に示すように二つの固定具１をケーブルＥの軸方向にずらして対向させて、両固定具１の嵌入溝３ａ、３ｂ内にケーブルＥを挟着保持してから、その二つの固定具１を機器Ｆの開口部Ｇ（図６）にセットして機器Ｆに取付ける。対向配置した二つの固定具１は図５（ｂ）のように平面視ほぼ台形状になるため、機器Ｆの出口側に向けて先細りのセット溝Ｈ内に圧入して（押し込んで）セットする。
【００３７】
（図７の固定具の実施形態）
図７に示す固定具１も、基本的構成において図５（ａ）に示すものと同じであり、異なるのは、対向する二面２ａ、２ｂの夫々に二つの嵌入溝３ａ、３ｂを設けたことである。二つの嵌入溝３ａ、３ｂは溝幅Ｖ1、Ｖ2を異なるものとして、夫々の嵌入溝３ａ、３ｂに縦幅寸法が異なるケーブルＥを嵌入できるようにしてある。
【００３８】
（図７の固定具の使用例）
図７の固定具１は図５（ｂ）に示すように、二つの固定具１をケーブルの軸方向にずらして対向させて、両固定具１の一方の嵌入溝（例えば、嵌入溝３ａ）内にケーブルＥを挟着保持してから、その二つの固定具１を機器Ｆのセット溝Ｈ（図６）にセットして機器Ｆに取付ける。
【産業上の利用可能性】
【００３９】
本発明の固定具１は、平型光ケーブルの固定に特に適したものであるが、平型光ケーブル以外のケーブルの固定に用いることもできる。
【符号の説明】
【００４０】
１    平型ケーブル用固定具
２ａ、２ｂ、２ｃ  面
３、３ａ、３ｂ  嵌入溝
４ａ、４ｂ  外側縁
６    角部
Ａ    光ファイバ心線
Ｂ    テンションメンバー（抗張力線）
Ｃ    外被
Ｄ    溝
Ｅ    平型ケーブル
Ｆ    機器
Ｇ    開口部
Ｈ    セット溝
Ｖ、Ｖ1、Ｖ2  嵌入溝の溝幅
Ｗ1、Ｗ2  ケーブルの縦幅寸法
【図１】
2014116386.tif 000003
【図２】
2014116386.tif 000004
【図３】
2014116386.tif 000005
【図４】
2014116386.tif 000006
【図５】
2014116386.tif 000007
【図６】
2014116386.tif 000008
【図７】
2014116386.tif 000009
【図８】
2014116386.tif 000010
【手続補正書】
【提出日】平成25年2月26日(2013.2.26)
【手続補正１】
【補正対象書類名】明細書
【補正対象項目名】全文
【補正方法】変更
【補正の内容】
【発明の詳細な説明】
【技術分野】
【０００１】
本発明は平型ケーブル用固定具に関し、特に、クロージャや接続箱、或いはそれらにセットするファイバートレー等（以下これらをまとめて「機器」という。）の配線口から引き出されたり、引き込まれたりするテンションメンバー（抗張力線）入りの平型ケーブル（平型光ケーブルを含む。）を機器に取付ける平型ケーブル用固定具に関する。
【背景技術】
【０００２】
抗張力線入りの平型ケーブル（平型光ケーブル）の一例として、図８（ｂ）に示すようなものがある。この平型ケーブルは、光ファイバ心線Ａの両側に抗張力線Ｂが配置され、その外周が平型のシース（外被）Ｃ（通常、樹脂製）で被覆されている。光ファイバ心線Ａはテープ状或いは丸型のものがある。抗張力線Ｂの外形は、通常、光ファイバ心線Ａの厚さ（丸形心線の場合はその外径）よりも大きい。外被Ｃの外面で光ファイバ心線Ａの外側部分には溝Ｄが光ファイバ心線Ａの軸方向に沿って形成されている。
【０００３】
前記平型ケーブルＥを前記機器Ｆ（図８（ａ）、（ｂ））の開口部Ｇ内に引き込む場合は、平型ケーブルＥの端部の外被Ｃを溝Ｄに沿って引き裂いて光ファイバ心線Ａを所望長露出させ、引き裂いた外被Ｃを剥ぎ取って抗張力線Ｂを所望長露出させる。露出した抗張力線Ｂを機器Ｆの取付け箇所にネジ止めして固定していた。
【０００４】
前記方法では平型ケーブルＥの固定作業が面倒であった。従来、この面倒を改善するために、ケーブル引き留め部品（特許文献１）、ケーブル引き留め方法（特許文献２）が開発されている。
【０００５】
特許文献１のケーブル引き留め部品は、平型ケーブルを二枚の挟着片間に挟んで固定する方式であり、そのケーブル引き留め部品を機器にセットすることにより、平型ケーブルを機器に固定するものである。このケーブル引き留め部品を使用すると、旧来のネジ止め方式に比して固定作業は容易になるが、平型ケーブルを固定する力（挟着力）が弱く、平型ケーブルが外に引かれると、平型ケーブルがスリップするおそれがあった。
【０００６】
特許文献２のケーブル引き留め方法は、ケーブルの引き留めに固定具を使用する方法であり、この固定具の相対する二以上の固定片間の嵌入溝内に平型ケーブルを押し込んで、その固定片の角部（エッジ）を平型ケーブルの外被の横幅方向両外面に食い込ませることによって、平型ケーブルを固定具の嵌入溝内に固定し、この固定具を機器にセットすることにより、平型ケーブルを機器に固定する方法である。この固定具には同文献２の図１に示すように嵌入溝が一つ（一組）しか設けられていないもののほか、同文献２の図２に示すように二以上の嵌入溝を備えて、一つの固定具で二以上の平型ケーブルを固定できるものもある。
【先行技術文献】
【特許文献】
【０００７】
【特許文献１】特開平１０−３３２９５３号公報
【特許文献２】特開２００３−２１７３０号公報
【発明の概要】
【発明が解決しようとする課題】
【０００８】
前記特許文献２の図１の固定具は、嵌入溝が一つであるため、外被寸法の異なる二種類の平型ケーブルの固定に使用することができず、異なるサイズの平型ケーブルを固定するためには、異なる溝幅寸法の嵌入溝を備えた固定具を別途用意しなければならないという不便があった。
【０００９】
特許文献２の図２の固定具は、一つの固定具で複数本の平型ケーブルを固定できるというメリットはあるものの、すべての嵌入溝の溝幅寸法が同一であるため、外被寸法が同じ平型ケーブルしか固定できないという不便がある。さらに、特許文献２の図２の固定具では、平型ケーブルをセットしない（使用しない）嵌入溝が機器の開口部に開口しているため、そこから外部の埃が侵入するおそれがあり、機器内の電子部品部の接触不良や動作不良の一因となりかねない。
【００１０】
また、前記特許文献２の図２の固定具を用いて平型ケーブルを固定する場合、引き留め部において伝送損失が大きくなったり、光ファイバの破断が発生したりするおそれがある。さらに、特許文献２の図２の固定具は、引き留め具への平型ケーブル差し込み方向が、機器への引き留め具差し込み方向と同じであるため、そのままでは、平型ケーブルが差し込んだ方向に位置ずれしたり抜け易くなったりするおそれもある。
【００１１】
本発明の目的は、外被サイズが異なる二種以上の平型ケーブルの固定に使用可能であり、外部から塵芥が侵入しにくく、機器内の接触不良や動作不良が生じにくい平型ケーブル用固定具を提供することにある。
【課題を解決するための手段】
【００１２】
本発明の平型ケーブル用固定具は、クロージャや接続箱、それらにセットするトレー等の機器の配線口から外に引き出され或いは配線口から機器内に引き込まれるテンションメンバー（抗張力線）入りの平型ケーブルを、当該機器に取付けるための平型ケーブル用固定具であり、当該平型ケーブル用固定具は前記機器のセット溝内にセット可能な板状であり、その幅方向一側面に前記平型ケーブルを嵌入可能な嵌入溝が開口して設けられ、前記嵌入溝の溝幅を平型ケーブルのテンションメンバーの配列方向に交差する方向（横方向：以下、明細書、特許請求の範囲において同じ）の寸法（横幅寸法）よりも広く、テンションメンバーの配列方向（縦方向：以下、明細書、特許請求の範囲において同じ）の寸法（縦幅寸法）よりも狭くして、平型ケーブルの縦方向両外面を前記嵌入溝の両外側縁に向けて（縦向きにして）圧入すると、両外側縁が当該平型ケーブルの外被の縦方向両外面（両抗張力線の外側）に食い込んで当該平型ケーブルを固定できるようにしたものである。
【００１３】
前記平型ケーブル用固定具は、溝幅の異なる嵌入溝が二以上形成され、それら二以上の嵌入溝は上下方向に離れて形成され、且つ幅方向一側面に開口して又は幅方向両側面に開口して設けられ、前記二以上の嵌入溝は溝幅が異なり、夫々の嵌入溝の溝幅を平型ケーブルの横幅寸法よりも広く縦幅寸法よりも狭くして、縦幅寸法の異なる平型ケーブルを縦向きに嵌入できる広さにしてあり、二以上の嵌入溝のいずれかを選択して、その嵌入溝内に平型ケーブルを縦向きに嵌入できるようにすることができる。
【００１４】
本発明の平型ケーブル用固定具は、前記機器のセット溝内にセット可能な「く」字状（ほぼ「く」字状、Ｌ字状、ほぼＬ字状を含む：以下、明細書、特許請求の範囲において同じ）であり、夫々の面に嵌入溝が形成され、それら嵌入溝は溝幅が異なり、いずれの嵌入溝も平型ケーブルの横幅寸法よりも広く縦幅寸法よりも狭くして、縦幅寸法の異なる平型ケーブルを縦向きに嵌入できる広さであり、平型ケーブルの縦方向両外面を前記嵌入溝の高さ方向にして（縦向きにして）圧入すると、両外側縁が当該平型ケーブルの外被の縦方向両外面に食い込んで当該平型ケーブルを固定できるようにすることができる。
【００１５】
本発明の平型ケーブル用固定具は、前記機器のセット溝内にセット可能な「く」字状であり、一方の面にのみ溝幅の異なる二以上の嵌入溝が離して開口され、いずれの嵌入溝も平型ケーブルの横幅寸法よりも広く縦幅寸法よりも狭く、縦幅寸法の異なる平型ケーブルをその縦方向に嵌入できる広さであり、平型ケーブルの縦方向両外面が前記嵌入溝の両外側縁に向けて圧入されることにより、当該両外側縁が当該平型ケーブルの外被の縦方向両外面に食い込んで当該平型ケーブルを固定できるようにすることができる。
【００１６】
本発明の平型ケーブル用固定具は、前記機器のセット溝内にセット可能な「コ」字状（ほぼ「コ」字状を含む：以下、明細書、特許請求の範囲において同じ）であり、対向面の夫々に嵌入溝を備え、それら嵌入溝は平型ケーブルの横幅寸法よりも広く縦幅寸法よりも狭く、縦幅寸法の異なる平型ケーブルを縦向きに嵌入できる広さであり、平型ケーブルの縦方向両外面を前記嵌入溝の両外側縁に向けて圧入すると、両外側縁が当該平型ケーブルの外被の縦方向両外面に食い込んで当該平型ケーブルを固定できるようにしたものである。
【００１７】
前記「コ」字状の平型ケーブル用固定具は、対向面の夫々に溝幅の異なる二以上の嵌入溝を設け、それら嵌入溝は上下方向に離して開口して設けることもできる。
【００１８】
前記平型ケーブル用固定具において、平型ケーブルは平型光ケーブルとすることができる。
【発明の効果】
【００１９】
本発明の平型ケーブル用固定具は次のような効果がある。
（１）外側縁が平型ケーブルの外被の縦方向両外面に食い込むため、食い込みが深くなっても、両抗張力線の間に配置されている光ファイバ心線が損傷するおそれがない。
（２）嵌入溝が二以上あり、それら嵌入溝の溝幅寸法が異なるため、一つの平型平型ケーブル用固定具で、異なるサイズの平型ケーブルを固定することができ、平型ケーブルの寸法に合わせて二以上の他の固定具を別途用意する必要がなく、コストを低減することができる。
（３）「コ」字状の二個の平型ケーブル用固定具を対向させて平型ケーブルを挟着固定できるので、平型ケーブルの固定が安定し、機器の配線口への取付けも安定する。
（４）平型ケーブルがテンションメンバーよりも光ファイバ方向へ食い込まないようにすることができるため、引き留め部において伝送損失が大きくなったり、ケーブルが破断したりするのを防止することができる。
（５）機器への平型ケーブル用固定具差し込み方向と、平型ケーブル用固定具への平型ケーブルの差し込み方向が交差する方向であるため、平型ケーブルが平型ケーブル用固定具への差し込み方向と反対側へ位置ずれすることがない。
【図面の簡単な説明】
【００２０】
【図１】本発明の平型ケーブル用固定具を板状にした場合の一例を示すものであって、（ａ）は接続箱に差し込む前の斜視図、（ｂ）、（ｃ）は板状の平型ケーブル用固定具の異なる例を示す説明図。
【図２】本発明の平型ケーブル用固定具を「く」字状にした場合の一例を示すものであって、（ａ）は接続箱に差し込む前の斜視図、（ｂ）は接続箱に差し込んで固定した状態の斜視図。
【図３】（ａ）は図２（ａ）に示す平型ケーブル用固定具の嵌入溝と平型ケーブルとの関係を示す説明図、（ｂ）は図１（ａ）に示す平型ケーブル用固定具の嵌入溝と平型ケーブルと一方の嵌入溝の関係を示す説明図。
【図４】本発明の平型ケーブル用固定具を「く」字状にした場合の他例を示す斜視図。
【図５】（ａ）は本発明の平型ケーブル用固定具を「コ」字状にした場合の一例を示す斜視図、（ｂ）は（ａ）の平型ケーブル用固定具を対向させて平型ケーブルを挟着保持した状態の平面図。
【図６】図５（ａ）、（ｂ）に示す「コ」字状の平型ケーブル用固定具を取付ける機器のセット溝の一例を示す斜視図。
【図７】本発明の平型ケーブル用固定具を「コ」字状にした場合の他例を示す斜視図。
【図８】（ａ）は従来の平型ケーブル（平型光ケーブル）用固定具を機器に取付けた状態の斜視図、（ｂ）は（ａ）の平型ケーブル用固定具をセット溝にセットした状態の拡大図。
【発明を実施するための形態】
【００２１】
本発明の平型ケーブル用固定具（以下「固定具」という）１の実施形態について、図面を参照して説明する。本発明の固定具１は各種平型ケーブルの固定具として用いることができるが、ここでは、平型ケーブルＥが図３（ａ）、（ｂ）に示すような平型光ケーブルの場合を一例として説明する。
【００２２】
（図１（ａ）の固定具の実施形態）
図１（ａ）に示す固定具１は、クロージャや接続箱、それらにセットするトレー等の機器Ｆ（図８（ａ））の取付け部（開口部）Ｇから外に引き出され或いは開口部Ｇから機器Ｆ内に引き込まれるテンションメンバー（抗張力線）入りの平型ケーブル（以下「ケーブル」という）Ｅを、当該機器Ｆに取付けるためのものである。
【００２３】
この固定具１は前記機器Ｆのセット部Ｈ内にセット可能な板状であり、その幅方向一側面に開口する（側面開口の）嵌入溝３を備えたものである。嵌入溝３の溝幅ＶはケーブルＥの横幅寸法よりも広く縦幅寸法よりも狭くして、ケーブルＥの外被Ｃの縦方向両外面を嵌入溝３の両外側縁４に向けて（縦向きにして）圧入すると、両外側縁４がケーブルＥの外被Ｃの縦方向両外面に食い込んでケーブルＥを固定できるようにしてある。嵌入溝３の溝幅ＶはケーブルＥを縦向きにして側方から嵌入できる広さにしてある。
【００２４】
（図１（ｂ）の固定具の実施形態）
図１（ｂ）の固定具１は、図１（ａ）の固定具１と同様に使用されるものである。この固定具１の幅方向一側面には溝幅の異なる二つの嵌入溝３ａ、３ｂが形成されている。両嵌入溝３ａ、３ｂは上下方向に離れて平行に形成されている。二つの嵌入溝３ａ、３ｂは溝幅が異なり、夫々の嵌入溝３ａ、３ｂの溝幅Ｖ1、Ｖ2は、ケーブルＥの外被Ｃの横幅寸法よりも広く縦幅寸法よりも狭くして、縦幅寸法の異なるケーブルＥを縦向きに嵌入できる広さにしてあり、二つの嵌入溝３ａ、３ｂのいずれかを選択して、その嵌入溝３内にケーブルＥを縦向きに嵌入できるようにしてある。嵌入溝３は三つ以上とすることもできる。
【００２５】
（図１（ｃ）の固定具の実施形態）
図１（ｃ）の固定具１は図１（ａ）、（ｂ）の固定具１と同様に使用されるものである。この固定具１は、幅方向一方に嵌入溝３ａが、幅方向他方に嵌入溝３ａと溝幅の異なる嵌入溝３ｂが形成されている。夫々の嵌入溝３ａ、３ｂの溝幅Ｖ1、Ｖ2は、ケーブルＥの外被Ｃの横幅寸法よりも広く縦幅寸法よりも狭くして、縦幅寸法の異なるケーブルＥを縦向きに嵌入できる広さにしてあり、二以上の嵌入溝３ａ、３ｂのいずれかを選択して、その嵌入溝３内にケーブルＥを縦向きに嵌入できるようにしてある。この場合も、二つの嵌入溝３ａ、３ｂのいずれかを選択して、その嵌入溝３内にケーブルＥを縦向きに嵌入できるようにしてある。嵌入溝３は三つ以上とすることもできる。
【００２６】
（図１（ａ）〜（ｃ）の固定具の使用例）
図１（ａ）〜（ｃ）のいずれの固定具１を使用する場合も、ケーブルＥを嵌入溝３（図１（ｂ）、（ｃ）の場合は、選択した一方の嵌入溝３）内に縦向きに圧入して、嵌入溝３の両外側の外側縁４（外側縁４ａ、４ｂ）をケーブルＥの外被Ｃの縦方向両外面に食い込ませてケーブルＥを固定具１に固定する。この固定具１を、機器Ｆに形成されているセット溝Ｈ内に差し込んで、嵌入溝３に固定されたケーブルＥを機器Ｆの開口部Ｇにセットすることができる。必要であれば図１（ａ）に示すようにセット溝Ｈを二本平行に形成し、夫々のセット溝Ｈ内に二つの固定具１を差し込んで使用することもできる。このようにすれば、ケーブルＥが二つの固定具１に固定されるため、固定が確実になる。開口部ＧはケーブルＥを縦向きにして挿入可能な幅と深さにしてある。
【００２７】
（図２、図３の固定具の実施形態）
図２に示す固定具１は、金属板を直角（ほぼ「く」字状）に曲げて成型され、機器Ｆに設けられた「く」字状のセット溝Ｈ内に差し込むことによって、ケーブルＥを固定した固定具１を、機器Ｆに取付けられるようにしてある。
【００２８】
固定具１のそれぞれの面２ａ、２ｂにはケーブルＥ（図２（ｂ））を嵌入可能な嵌入溝３ａ、３ｂが設けられている。嵌入溝３ａ、３ｂの溝幅Ｖ1、Ｖ2は、ケーブルＥを縦向きにして嵌入できる広さにしてある。両嵌入溝３ａ、３ｂの溝幅Ｖ1、Ｖ2は、一方の面２ａに設けられた嵌入溝３ａの溝幅Ｖ1を他方の面２ｂに設けられた嵌入溝３ｂの溝幅Ｖ2よりも広くし、一つの固定具１で溝幅寸法が異なる二種類のケーブルＥを嵌入固定できるようにしてある。面２ａ、２ｂは平面であっても湾曲面等であってもよい。
【００２９】
固定具１の嵌入溝３ａ、３ｂの溝幅寸法とケーブルＥの縦方向の寸法の関係を、図３（ａ）、（ｂ）に示す。図３（ａ）に示すケーブルＥは縦幅寸法Ｗ1が３．１ｍｍのもの、同（ｂ）に示すケーブルＥは縦幅寸法Ｗ2が２．０ｍｍのものであり、いずれも汎用品である。一方の面２ａに設けられた嵌入溝３ａの溝幅Ｖ1はケーブルＥの縦幅寸法Ｗ1よりも狭く、他方の面２ｂに設けられた嵌入溝３ｂの溝幅Ｖ2はケーブルＥの縦幅寸法Ｗ2よりも狭くしてあり、ケーブルＥを嵌入溝３に嵌入した際に、ケーブルＥの外被Ｃの縦方向の両外側面（図３（ａ）、（ｂ）では外被Ｃの上下両面）に面２ａ（又は面２ｂ）の外側縁４ａ（又は外側縁４ｂ）が食い込んで、ケーブルＥが嵌入溝３ａ、３ｂ内でスリップせず、嵌入溝３ａ、３ｂから不用意に抜けないようにしてある。
【００３０】
前記嵌入溝３ａ、３ｂの溝幅寸法は一例であり、嵌入溝３ａ、３ｂに嵌入したケーブルＥの外被Ｃにいずれかの面２ａ、２ｂの外側縁４ａ、４ｂが食い込んで、ケーブルＥを固定できる限り、これ以外の寸法であってもよい。
【００３１】
嵌入溝３の入り口側の角部６は外向き広がりのテーパーに形成され、ケーブルＥを嵌入溝３内に嵌入し易くしてある。嵌入溝３の外側縁４にはケーブルＥの外被Ｃに食い込み易くするための係止歯（図示しない）を設けることもできる。係止歯の形状、向き、突出寸法、本数等は適宜設計することができる。
【００３２】
（図２（ａ）の固定具の使用例）
図２（ａ）の固定具１を使用してケーブルＥを機器Ｆに固定するには、ケーブルＥを面２ａ、２ｂのうちいずれか一方の面（例えば、面２ａ）の嵌入溝（例えば、嵌入溝３ａ）に嵌入（圧入）してケーブルＥの外被Ｃに面２ａの外側縁４ａを食い込ませ、ケーブルＥが固定具１から不用意に抜けないようにする。ケーブルＥを固定してから固定具１を図２（ａ）の下方（矢印方向）に下げて、図２（ｂ）のように機器Ｆの「く」字状のセット溝Ｈに差し込んで、固定具１及びそれに固定されているケーブルＥを機器Ｆ内に固定する。これにより、ケーブルＥに図２（ｂ）の外側への外力が加わっても、ケーブルＥは同方向にスライドしたり、抜けたりすることがない。
【００３３】
（図４の固定具の実施形態）
図４に示す固定具１は、基本的構成において図２（ａ）に示すものと同じであり、異なるのは、「く」字状に形成された固定具１の面２ａ、２ｂのうち一方の面（図４では、面２ａ）に二つの嵌入溝３ａ、３ｂを上下に離して平行に設けたことである。両嵌入溝３ａ、３ｂは異なる溝幅Ｖ1、Ｖ2としてある。
【００３４】
（図４の固定具の使用例）
図４の固定具１を使用してケーブルＥを機器Ｆに固定するには、ケーブルＥを一方の嵌入溝（例えば、嵌入溝３ａ）に嵌入（圧入）してケーブルＥの外被Ｃに面２ａの外側縁４ａを食い込ませて、ケーブルＥを固定具１から抜けないように固定してから、固定具１を図２（ｂ）のように機器Ｆの「く」字状のセット溝Ｈに差し込んで、固定具１及びそれに固定されているケーブルＥを機器Ｆ内に固定する。これにより、ケーブルＥに外向きの外力が加わっても、ケーブルＥは同方向にスライドしたり、抜けたりすることがない。
【００３５】
（図５（ａ）の固定具の実施形態）
図５（ａ）に示す固定具１は、基本的構成において前記各実施形態に示すものと同じであり、異なるのは、その形状を三面２ａ、２ｂ、２ｃを備えた「コ」字状にし、それら三面２ａ、２ｂ、２ｃのうち対向する二面２ａ、２ｂに嵌入溝３を設けたことである。嵌入溝３の溝幅Ｖは、前記実施形態と同じように、ケーブルＥを縦向きに嵌入できる寸法にしてある。
【００３６】
（図５（ａ）の固定具の使用例）
図５（ａ）の固定具１は、５（ｂ）に示すように二つの固定具１をケーブルＥの軸方向にずらして対向させて、両固定具１の嵌入溝３ａ、３ｂ内にケーブルＥを挟着保持してから、その二つの固定具１を機器Ｆの開口部Ｇ（図６）にセットして機器Ｆに取付ける。対向配置した二つの固定具１は図５（ｂ）のように平面視ほぼ台形状になるため、機器Ｆの出口側に向けて先細りのセット溝Ｈ内に圧入して（押し込んで）セットする。
【００３７】
（図７の固定具の実施形態）
図７に示す固定具１も、基本的構成において図５（ａ）に示すものと同じであり、異なるのは、対向する二面２ａ、２ｂの夫々に二つの嵌入溝３ａ、３ｂを設けたことである。二つの嵌入溝３ａ、３ｂは溝幅Ｖ1、Ｖ2を異なるものとして、夫々の嵌入溝３ａ、３ｂに縦幅寸法が異なるケーブルＥを嵌入できるようにしてある。
【００３８】
（図７の固定具の使用例）
図７の固定具１は図５（ｂ）に示すように、二つの固定具１をケーブルの軸方向にずらして対向させて、両固定具１の一方の嵌入溝（例えば、嵌入溝３ａ）内にケーブルＥを挟着保持してから、その二つの固定具１を機器Ｆのセット溝Ｈ（図６）にセットして機器Ｆに取付ける。
【産業上の利用可能性】
【００３９】
本発明の固定具１は、平型光ケーブルの固定に特に適したものであるが、平型光ケーブル以外のケーブルの固定に用いることもできる。
【符号の説明】
【００４０】
１    平型ケーブル用固定具
２ａ、２ｂ、２ｃ  面
３、３ａ、３ｂ  嵌入溝
４ａ、４ｂ  外側縁
６    角部
Ａ    光ファイバ心線
Ｂ    テンションメンバー（抗張力線）
Ｃ    外被
Ｄ    溝
Ｅ    平型ケーブル
Ｆ    機器
Ｇ    開口部
Ｈ    セット溝
Ｖ、Ｖ1、Ｖ2  嵌入溝の溝幅
Ｗ1、Ｗ2  ケーブルの縦幅寸法
【手続補正２】
【補正対象書類名】特許請求の範囲
【補正対象項目名】全文
【補正方法】変更
【補正の内容】
【特許請求の範囲】
【請求項１】
クロージャや接続箱、それらにセットするトレー等の機器の配線口から外に引き出され或いは配線口から機器内に引き込まれるテンションメンバー入りの平型ケーブルを、当該機器に取付けるための平型ケーブル用固定具であり、当該平型ケーブル用固定具は前記機器のセット溝内にセット可能な板状であり、その幅方向一側面に前記平型ケーブルを嵌入可能な嵌入溝が開口して設けられ、前記嵌入溝の溝幅は平型ケーブルのテンションメンバーの配列方向に交差する方向（横方向）の寸法（横幅寸法）よりも広く、テンションメンバーの配列方向（縦方向）の寸法（縦幅寸法）よりも狭く、平型ケーブルの縦方向両外面が前記嵌入溝の両外側縁に向けて圧入されることにより、当該両外側縁が当該平型ケーブルの外被の縦幅方向両外面に食い込んで当該平型ケーブルを固定できることを特徴とする平型ケーブル用固定具。
【請求項２】
請求項１記載の平型ケーブル用固定具において、溝幅の異なる嵌入溝が二以上形成され、それら二以上の嵌入溝は離れて形成され、且つ幅方向一側面に開口して又は幅方向両側面に開口して設けられ、前記二以上の嵌入溝は溝幅が異なり、夫々の嵌入溝の溝幅は平型ケーブルの横幅寸法よりも広く縦幅寸法よりも狭く、縦幅寸法の異なる平型ケーブルをその配列方向に沿って嵌入できる広さにされており、二以上の嵌入溝のいずれかを選択して、その嵌入溝内に平型ケーブルを縦向きに嵌入できることを特徴とする平型ケーブル用固定具。
【請求項３】
クロージャや接続箱、それらにセットするトレー等の機器の配線口から外に引き出され或いは配線口から機器内に引き込まれるテンションメンバー入りの平型ケーブルを、当該機器に取付けるための平型ケーブル用固定具であり、前記機器のセット溝内にセット可能な「く」字状（ほぼ「く」字状、Ｌ字状、ほぼＬ字状を含む。）であり、夫々の面に嵌入溝が形成され、それら嵌入溝は溝幅が異なり、いずれの嵌入溝も平型ケーブルの横幅寸法よりも広く縦幅寸法よりも狭く、縦幅寸法の異なる平型ケーブルをその縦方向に嵌入できる広さであり、平型ケーブルの縦方向両外面が前記嵌入溝の両外側縁に向けて圧入されることにより、当該両外側縁が当該平型ケーブルの外被の縦方向両外面に食い込んで当該平型ケーブルを固定できることを特徴とする平型ケーブル用固定具。
【請求項４】
クロージャや接続箱、それらにセットするトレー等の機器の配線口から外に引き出され或いは配線口から機器内に引き込まれるテンションメンバー入りの平型ケーブルを、当該機器に取付けるための平型ケーブル用固定具であり、前記機器のセット溝内にセット可能な「く」字状（ほぼ「く」字状、Ｌ字状、ほぼＬ字状を含む。）であり、一方の面にのみ溝幅の異なる二以上の嵌入溝が離して開口され、いずれの嵌入溝も平型ケーブルの横幅寸法よりも広く縦幅寸法よりも狭く、縦幅寸法の異なる平型ケーブルをその縦方向に嵌入できる広さであり、平型ケーブルの縦方向両外面が前記嵌入溝の両外側縁に向けて圧入されることにより、当該両外側縁が当該平型ケーブルの外被の縦方向両外面に食い込んで当該平型ケーブルを固定できることを特徴とする平型ケーブル用固定具。
【請求項５】
クロージャや接続箱、それらにセットするトレー等の機器の配線口から外に引き出され或いは配線口から機器内に引き込まれるテンションメンバー入りの平型ケーブルを、当該機器に取付けるための平型ケーブル用固定具であり、前記機器のセット溝内にセット可能な「コ」字状（ほぼ「コ」字状を含む。）であり、対向面の夫々に嵌入溝を備え、それら嵌入溝は平型ケーブルの横幅寸法よりも広く縦幅寸法よりも狭く、縦幅寸法の異なる平型ケーブルをその縦方向に嵌入できる広さであり、平型ケーブルの縦方向両外面が前記嵌入溝の両外側縁に向けて圧入されることにより、当該両外側縁が当該平型ケーブルの外被の縦方向両外面に食い込んで当該平型ケーブルを固定できることを特徴とする平型ケーブル用固定具。
【請求項６】
請求項５記載の平型ケーブル用固定具において、対向面の夫々に溝幅の異なる二以上の嵌入溝が設けられ、それら嵌入溝が離して開口されたことを特徴とする平型ケーブル用固定具。
【請求項７】
請求項１から請求項６のいずれか１項に記載の平型ケーブル用固定具において、平型ケーブルが平型光ケーブルであることを特徴とする平型ケーブル用固定具。